(57)【特許請求の範囲】
【請求項１】
無線通信システムにおいて、複数の周波数ブロックによる送受信が可能な通信装置のためのハイブリッド自動再送要求（ＨＡＲＱ）エンティティの操作方法であって、
前記複数の周波数ブロックのうちの、ある周波数ブロックに関連するＨＡＲＱエンティティを、前記周波数ブロックと関連する周波数ブロック設定が変更されたときにリセットするステップと、
動作中の時間アライメントタイマを維持するステップと、
を含み、
前記動作中の時間アライメントタイマを維持する前記ステップは、
前記時間アライメントタイマが前記周波数ブロックのためだけでなく用いられるとき、前記時間アライメントタイマを失効していないものとして決定するステップであることを特徴とするＨＡＲＱエンティティの操作方法。
【請求項２】
前記複数の周波数ブロックのうちの、前記周波数ブロックに関連するＨＡＲＱエンティティを、前記周波数ブロックと関連する前記周波数ブロック設定が変更されたときにリセットする前記ステップは、
前記周波数ブロックが再設定され、追加され、削除され、動作可能にされ、または動作不可能にされたとき、前記周波数ブロックに関連するＨＡＲＱエンティティをリセットするステップを含むことを特徴とする請求項１に記載のＨＡＲＱエンティティの操作方法。
【請求項３】
前記複数の周波数ブロックのうちの、前記周波数ブロックに関連するＨＡＲＱエンティティを、前記周波数ブロックと関連する前記周波数ブロック設定が変更されたときにリセットする前記ステップは、
前記ＨＡＲＱエンティティに対応する各ＨＡＲＱプロセスのための次回伝送を新たな伝送として決定するステップを含むことを特徴とする請求項１に記載のＨＡＲＱエンティティの操作方法。
【請求項４】
前記複数の周波数ブロックのうちの、前記周波数ブロックに関連するＨＡＲＱエンティティを、前記周波数ブロックと関連する前記周波数ブロック設定が変更されたときにリセットする前記ステップは、
前記周波数ブロックに関連する前記周波数ブロック設定が変更されたときに、前記ＨＡＲＱエンティティに対応するすべてのＨＡＲＱプロセスのためのバッファを消去するステップを含むことを特徴とする請求項１に記載のＨＡＲＱエンティティの操作方法。
【請求項５】
前記複数の周波数ブロックのうちの、前記周波数ブロックに関連するＨＡＲＱエンティティを、前記周波数ブロックと関連する前記周波数ブロック設定が変更されたときにリセットする前記ステップは、
前記周波数ブロックに関連する前記周波数ブロック設定が変更されたときに、前記周波数ブロックに使われる媒体アクセス制御（ＭＡＣ）タイマを停止するステップ、または、  前記周波数ブロックに関連する前記周波数ブロック設定が変更されたときに、前記周波数ブロックに関連するＭＡＣカウンター値を初期値に設定するステップを含むことを特徴とする請求項１に記載のＨＡＲＱエンティティの操作方法。
【発明の詳細な説明】
【技術分野】
【０００１】
本出願は、無線通信システムおよびその通信装置に用いられる方法に関するものである。特に、無線通信システムおよび関連する通信装置におけるＨＡＲＱエンティティの操作方法に関するものである。
【背景技術】
【０００２】
〔関連出願の相互参照〕
本出願は、「無線通信システムにおいてＨＡＲＱエンティティをリセットするための方法および装置」と題されて２０１０年６月１日に出願された６１／３５０，０３５号、および、「無線通信システムにおいてＨＡＲＱエンティティをリセットするための方法および装置」と題されて２０１０年６月２２日に出願された６１／３５７，１０９号の、米国特許仮出願の利益を享受する。その全内容は、本明細書に組み込まれるものとする。
【０００３】
〔背景技術〕
３Ｇモバイル遠隔通信システムにおいて確立された、アドバンスト高速無線通信システムの１つであるロング・ターム・エボリューション無線通信システム（ＬＴＥシステム）は、パケット交換伝送のみをサポートしている。このため、ノードＢ（ＮＢ）および無線ネットワーク制御装置（Radio Network Controller；ＲＮＣ）のそれぞれにおいてではなく、単一のＮＢにおいてのように、単一の通信サイトにおいて、媒体アクセス制御（Medium Access Control；ＭＡＣ）層および無線リンク制御（Radio Link Control；ＲＬＣ）層の両方を実装する傾向があり、これによりシステム構造は単純になる。
【０００４】
ＬＴＥシステムの無線インターフェースプロトコルの構造は、３つの層を含む。すなわち、物理層（レイヤー１）、データリンク層（レイヤー２）、およびネットワーク層（レイヤー３）である。ここで、レイヤー３の制御プレーンは、無線リソース制御（Radio Resource Control；ＲＲＣ）層であり、レイヤー２はさらにパケットデータ収束プロトコル（Packet Data Convergence Protocol；ＰＤＣＰ）層、無線リンク制御（ＲＬＣ）層、および媒体アクセス制御（ＭＡＣ）層に分割される。
【０００５】
伝送チャンネルを操作するためのユーザ機器（ＵＥ）のＭＡＣ層には、ブロードキャストチャンネル（ＢＣＨ）、ダウンリンク共有チャンネル（ＤＬ−ＳＣＨ）、呼び出しチャンネル（ＰＣＨ）、アップリンク共有チャンネル（ＵＬ−ＳＣＨ）、ランダムアクセスチャンネル（ＲＡＣＨ）、およびマルチキャストチャンネル（ＭＣＨ）などの、ＭＡＣエンティティがある。これに加えて、上位層（例えばＲＲＣ層）によってＭＡＣエンティティのリセットが要求されると、ＵＥはすべてのＭＡＣタイマを（動作していれば）停止させ、時間アライメントタイマが失効したとみなし、新たな伝送のためにすべてのアップリンクＨＡＲＱプロセスの新たなデータ指標（ＮＤＩｓ）を初期値（例えば０）に設定し、進行中のランダムアクセス処理を停止し、始動させられたスケジューリング要求処理を取り消し、始動させられたバッファ状態報告処理を取り消し、始動させられた電力ヘッドルーム（power headroom）報告処理を取り消し、すべてのダウンリンクＨＡＲＱプロセスのソフトバッファを消去（flush）し、各ダウンリンクＨＡＲＱプロセスについて、伝送ブロック（ＴＢ）のために次回受信される伝送を本当に最初の伝送とみなして、一時的に移動局装置識別子（Ｃ−ＲＮＴＩ）を解放する。
【０００６】
より高いピークデータ率でのデータ伝送などの、アドバンスト高速無線通信システムを目的として、ＬＴＥアドバンスト（LTE-Advanced）システムは、ＬＴＥシステムの強化版として第３世代パートナーシッププロジェクト（３ＧＰＰ）により標準化された。ＬＴＥアドバンストシステムは、電力状態間のより高速な切り替えを目標とし、セル端におけるパフォーマンスを改善するものであり、帯域幅の拡大、協調的な多地点送受信（ＣＯＭＰ）、アップリンク多重入出力（ＭＩＭＯ）などの課題を含む。
【０００７】
帯域幅の拡大に関して、より広い帯域へ拡張するために、周波数帯域統合（carrier aggregation）がＬＴＥアドバンストシステムに導入される。すなわち、より広い伝送帯域（例えば１００ＭＨｚ以上）のサポートと、スペクトラム集約（spectrum aggregation）のために、複数の周波数ブロック（component carrier）が集約される。周波数帯域統合の能力に従って、複数の周波数ブロックが全体的なより広い帯域に統合される。ここで、ＵＥは同時に送受信するための複数の周波数ブロックに対応する複数のリンクを確立できる。周波数帯域統合では、ＵＥはネットワークと単一のＲＲＣ接続を有するに過ぎない。ＲＲＣ接続の確立／再確立／ハンドオーバーにおいて、１つのサービング・セル（serving cell）がＮＡＳ移動体情報を提供する。また、ＲＲＣ接続の再確立／ハンドオーバーにおいて、１つのサービング・セルがセキュリティ入力を提供する。このセルは、プライマリセル（ＰＣｅｌｌ）として参照される。ダウンリンクにおいて、ＰＣｅｌｌに対応する周波数ブロックが、ダウンリンクプライマリ周波数ブロック（ＤＬ  ＰＣＣ）である。一方、アップリンクにおいては、アップリンクプライマリ周波数ブロック（ＵＬ  ＰＣＣ）である。さらに、アップリンクおよびダウンリンクの両方とも、各周波数ブロックはＨＡＲＱエンティティを含む。ＨＡＲＱエンティティは、並行するＨＡＲＱプロセスを維持する。これは、前回の伝送の受信が成功したか否かに応じたフィードバック（応答信号（ＡＣＫ）または非応答信号（ＮＡＣＫ））を待機しながら、伝送が連続的に発生することを可能にする。
【０００８】
ＬＴＥシステムでは、単一の周波数ブロックをサポートするＵＥに対して、ＭＡＣエンティティがリセットされたときは、ＨＡＲＱエンティティのＮＤＩが初期値に設定される。ＬＴＥアドバンストシステムでは、複数の周波数ブロックをサポートするＵＥに対して、ＨＡＲＱエンティティリセットのための明確な仕様は存在しない。より具体的には、ＨＡＲＱエンティティのアップリンクＨＡＲＱプロセスに対して、どのように新規のデータ指標を設定するかは定義されていない。ＵＥの周波数ブロック設定が変更されたとき（例えば、周波数ブロックが、ＲＲＣ層によって再設定された、追加された、もしくは削除された、またはＭＡＣ層によって動作可能にされた、もしくは動作不可能にされた）、ＵＥは、ＭＡＣエンティティリセットメカニズムに基づいて、複数の周波数ブロックにおいて、すべてのＨＡＲＱエンティティをリセットしてもよい。これによりデータ伝送が失敗する。例えば、ある周波数ブロックだけが再設定され、追加され、削除され、動作可能にされ、または動作不可能にされるため、ＵＥは、新たな伝送のためにすべてのＨＡＲＱエンティティのすべてのＨＡＲＱプロセスの新規のデータ指標を初期値（例えば０）に設定する。そして、他の周波数ブロックの新規のデータ指標は、ＵＥとｅＮＢとの間で異なる設定となる。したがって、ＵＥは再送を行うが、実際にはｅＮＢは新たな伝送としてスケジュールすることによりデータ伝送が失敗する。
【先行技術文献】
【非特許文献】
【０００９】
【非特許文献１】3GPP TS 36.321 V9.2.0  3rd Generation Partnership Project; Technical Specification Group Radio Access Network; Evolved Universal Terrestrial Radio Access (E-UTRA); Medium Access Control (MAC) protocol specification (Release 9), 2010/03
【非特許文献２】3GPP TS 36.331 V9.2.0 3rd Generation Partnership Project; Technical Specification Group Radio Access Network; Evolved Universal Terrestrial Radio Access (E-UTRA); Radio Resource Control (RRC); Protocol specification (Release 9), 2010/03
【非特許文献３】3GPP TSG-RAN WG2 Meeting #70 R2-103427 Stage 2 description of Carrier Aggregation, 2010/05
【発明の概要】
【発明が解決しようとする課題】
【００１０】
本出願は、前述した問題を解決するための無線通信システムにおけるＨＡＲＱエンティティの操作方法、および関連する通信装置を開示する。
【課題を解決するための手段】
【００１１】
無線通信システムにおいて、複数の周波数ブロックによる送受信が可能な通信装置のためのＨＡＲＱエンティティの操作方法が開示される。当該方法は、前記複数の周波数ブロックにおいて、ある周波数ブロックに関連するＨＡＲＱエンティティを、前記周波数ブロックと関連する周波数ブロック設定が変更されたときに、リセットするステップを含む。
【００１２】
無線通信システムにおいて、複数の周波数ブロックによる送受信が可能な通信装置のためのＨＡＲＱエンティティの操作方法が開示される。当該方法は、前記複数の周波数ブロックにおいて、ある周波数ブロックに関連するＨＡＲＱエンティティのコンテキストを、前記周波数ブロックと関連する周波数ブロック設定が変更されたときに、維持するステップを含む。
【００１３】
本発明のこれらおよび他の目的は、様々な図や表で示される望ましい実施形態についての以下の詳細な記述を読んだ後で、通常の当業者にとって明らかになるであろう。
【図面の簡単な説明】
【００１４】
【図１】典型的な無線通信システムの概略図である。
【図２】典型的な通信機器の概略図である。
【図３】典型的な通信システムの通信プロトコル層の概略図である。
【図４】典型的な処理のフローチャートである。
【図５】典型的な処理のフローチャートである。
【発明を実施するための形態】
【００１５】
図１は、モバイル装置１０と複数の基地局Ｂ１−Ｂｎとの間のマルチ接続を特徴とする無線通信システムの概略図を示す。この無線通信システムは、ＬＴＥアドバンストシステム（すなわち、Ｅ−ＵＴＲＡＮ：an evolved universal terrestrial radio access network）、または他の類似するネットワークシステムであってよい。モバイル装置１０は、周波数帯域統合によって動作できる。図１では、モバイル装置１０は、無線リンクＬ１−Ｌｍを介して基地局Ｂ１−Ｂｎと通信を行う。無線リンクＬ１−Ｌｍは、モバイル装置１０において設定される周波数ブロックｃｃ＃１−ｃｃ＃ｍにそれぞれ対応している。周波数ブロックｃｃ＃１−ｃｃ＃ｍのそれぞれは、無線周波数（radio frequency：ＲＦ）チャンネルに対応しており、その帯域は異なる通信システムに応じて変化してよい。さらに、モバイル装置１０はユーザ機器（user equipment：ＵＥ）または移動局（mobile station：ＭＳ）であり、携帯電話、コンピュータシステム等のような機器であってもよい。
【００１６】
図２は、典型的な通信機器２０の概略図を示す。通信機器２０は、図１に示すモバイル装置１０であってもよいが、これに限らない。通信機器２０は、マイクロプロセッサまたは特定用途向け集積回路（Application Specific Integrated Circuit：ＡＳＩＣ）のような処理手段２００、記憶ユニット２１０、および通信インターフェースユニット２２０を含む。記憶ユニット２１０はプログラムコード２１４を記憶することができ、処理手段２００がアクセス可能な任意のデータ記憶装置であってよい。記憶ユニット２１０の例は、加入者識別モジュール（subscriber identity module：ＳＩＭ）、ＲＯＭ（read-only memory）、フラッシュメモリ、ＲＡＭ（random-access memory）、ＣＤ−ＲＯＭ、磁気テープ、ハードディスク、および光学データ記憶装置を含むが、これに限定されない。通信インターフェースユニット２２０は無線送受信機が望ましく、処理手段２００の処理結果に従い、ネットワークを介して無線信号を交換できる。
【００１７】
図３は、ＬＴＥシステムのための通信プロトコル層の概略図を示す。いくつかのこれらのプロトコル層の動作はプログラムコード２１４で規定されていてもよく、処理手段２００によって実行されてもよい。これらのプロトコル層は、上から下の順に、無線リソース制御（ＲＲＣ）層３００、パケットデータ収束プロトコル（ＰＤＣＰ）層３１０、無線リンク制御（ＲＬＣ）層３２０、媒体アクセス制御（ＭＡＣ）層３３０、および物理（ＰＨＹ）層３４０である。ＭＡＣ層３３０の主な役割および機能には、ＨＡＲＱによるエラー補正、ランダムアクセス処理によるアップリンク同期、バッファ状態の報告、電力ヘッドルームの報告等を含む。バッファ状態の報告処理は、アップリンク送信のスケジューリングのために、ＵＥのアップリンクバッファのデータの量についての情報をネットワーク（例えばｅＮＢ）に与えるために使用される。電力ヘッドルームの報告処理は、ＵＥ  ＴＸ（Transmission：伝送）出力とＵＥ  ＴＸ最大出力との差についての情報をｅＮＢに与えるために使用される。さらに、スケジューリング要求は、ネットワークに複数のアップリンクリソースを要求するためにＭＡＣ層３３０によって生成されてもよい。
【００１８】
図４は、典型的な処理４０のフローチャートを示す。処理４０は、ＨＡＲＱエンティティのリセットのために、複数の周波数ブロックを通じてネットワークと通信可能な（図１のモバイル装置１０のような）ＵＥにおいて利用される。処理４０は、プログラムコード２１４にコンパイルすることが可能であり、以下のステップを含む。
【００１９】
ステップ４００：開始。
【００２０】
ステップ４１０：複数の周波数ブロックにおける、ある周波数ブロックに関連付けられた周波数ブロック設定が変更されたとき、その周波数ブロックに関連付けられたＨＡＲＱエンティティをリセットする。
【００２１】
ステップ４２０：終了。
【００２２】
処理４０によれば、周波数ブロックが再設定され、追加され、削除され、動作可能にされ、または動作不可能にされたとき、ＵＥはその周波数ブロックに関連付けられたＨＡＲＱエンティティのみをリセットする。周波数ブロックは、ハンドオーバーを含まない（例えば、ＲＲＣ接続の再確立（RRCConnectionReconfiguration）は移動体制御情報（mobilityControlInfo）を含まない）ＲＲＣ処理を伴うＲＲＣ層３００によって、再設定され（例えば、周波数ブロック設定のパラメータが変更される）、追加され、もしくは削除される。または、周波数ブロックは、ＭＡＣ制御エレメントを伴うＭＡＣ層３３０によって動作可能とされ、もしくは動作不可能とされてもよい。これにより、ＵＥは、再設定され、追加され、削除され、動作可能にされ、動作不可能にされた周波数ブロックのみに関連付けられたＨＡＲＱエンティティをリセットする。
【００２３】
処理４０に基づく例を示す。図１を再度参照すると、ＵＥは周波数ブロックｃｃ＃１−ｃｃ＃ｍで設定される。いかなる周波数ブロックｃｃ＃１−ｃｃ＃ｍ（例えば、周波数ブロックｃｃ＃２）も、再設定され、削除され、動作可能にされ、または動作不可能にされたとき、ＵＥまたはｅＮＢは、周波数ブロックｃｃ＃２のみに関連付けられたＨＡＲＱエンティティをリセットする。より具体的には、例えばＨＡＲＱ伝送または受信のためのバッファ消去、または、新たな伝送のために、すべてのＨＡＲＱプロセスのための新規のデータ指標（ＮＤＩ）を初期値（例えば０）に設定することによって、ＵＥまたはｅＮＢは、ＨＡＲＱエンティティに対応する各ＨＡＲＱプロセスのための次回伝送を、ＨＡＲＱエンティティをリセットした後の新たな伝送とみなす。バッファは、伝送ブロックを伝送するために使われるＨＡＲＱプロセスのためのＨＡＲＱバッファ、および伝送ブロックを受信するために使われるＨＡＲＱプロセスのためのソフトバッファである。例えば、周波数ブロックｃｃ＃２がアップリンク周波数ブロックであるとき、バッファは、ＵＥにおいてＨＡＲＱエンティティに対応するすべてのアップリンクＨＡＲＱプロセスのためのＨＡＲＱバッファ、および、ｅＮＢにおいてＨＡＲＱエンティティに対応するすべてのアップリンクＨＡＲＱプロセスのためのソフトバッファである。周波数ブロックｃｃ＃２がダウンリンク周波数ブロックであるとき、バッファは、ＵＥにおいてＨＡＲＱエンティティに対応するすべてのダウンリンクＨＡＲＱプロセスのためのソフトバッファ、および、ｅＮＢにおいてＨＡＲＱエンティティに対応するすべてのダウンリンクＨＡＲＱプロセスのためのＨＡＲＱバッファである。したがって、ＵＥまたはｅＮＢは、伝送ブロックに対して次回に伝送された／受信された伝送を、ＵＥまたはｅＮＢにおいてＨＡＲＱエンティティに対応する各ＨＡＲＱプロセスのための新たな伝送とみなす。
【００２４】
なお、ＮＤＩ値は、データ伝送が新たな伝送か伝送ブロックの再送かを決定するために使われる。さらに、ＵＥまたはｅＮＢは、それが新たな伝送である場合は、受信したデータとともに伝送ブロックのソフトバッファにあるデータを置換する。一方、それが再送である場合は、ソフトバッファにあるデータと受信したデータとを統合する。これらは技術的によく知られているため、ここでは詳述は省略する。
【００２５】
また、ＵＥまたはｅＮＢは、周波数ブロック（例えば、周波数ブロックｃｃ＃２）に関連付けられたＭＡＣタイマを停止する。ＭＡＣタイマは、ＨＡＲＱ  ＲＴＴタイマまたは時間アライメントタイマであってよい。ＨＡＲＱ  ＲＴＴタイマは、ＵＥによるダウンリンクＨＡＲＱ再送が予想される前に、最小のサブフレームを提供する。時間アライメントタイマは、アップリンクタイムが調整されたとＵＥがみなす長さを制御するために使われる。ＭＡＣタイマは、セカンダリセル（ＳＣｅｌｌ）が動作可能にされたとＵＥがみなす長さを制御するために使われる、sCellDeactivationTimerタイマであってよい。さらに、ＵＥまたはｅＮＢは、周波数キャリアｃｃ＃２に関連するＭＡＣカウンター（例えば、各ＨＡＲＱプロセスに対するCURRENT_TX_NB）に、初期値（例えば０）を設定する。各ＨＡＲＱプロセスは、状態変数CURRENT_TX_NBを維持する。これは、ＵＥのバッファにおいてＭＡＣ  ＰＤＵに対して発生した伝送の数を示す。
【００２６】
一方で、周波数ブロックｃｃ＃２に対するＨＡＲＱエンティティがリセットされたとき、ＵＥは、動作中の時間アライメントタイマ、継続中のランダムアクセス処理、始動させられたスケジューリング要求処理、始動させられたバッファ状態報告処理、始動させられた電力ヘッドルーム報告処理、および一時的な移動局装置識別子（Ｃ−ＲＮＴＩ）を維持する。より具体的には、周波数ブロックｃｃ＃２に対する時間アライメントタイマが、他の周波数ブロック（例えば、周波数ブロックｃｃ＃１）と同様に用いられる場合、ＵＥは時間アライメントタイマを失効していないものとみなす。一方で、時間アライメントタイマが周波数ブロックｃｃ＃２だけに用いられる場合、ＵＥは時間アライメントタイマが失効しているものとみなす。さらに、周波数ブロックｃｃ＃２において、継続するランダムアクセス処理／始動させられたスケジューリング要求処理／始動させられた電力ヘッドルーム報告処理が実行されていない場合、ＵＥは、継続するランダムアクセス処理／始動させられたスケジューリング要求処理／始動させられた電力ヘッドルーム報告処理を維持する。一方で、周波数ブロックｃｃ＃２において、継続するランダムアクセス処理／始動させられたスケジューリング要求処理／始動させられた電力ヘッドルーム報告処理が実行されている場合、ＵＥは、継続するランダムアクセス処理／始動させられたスケジューリング要求処理／始動させられた電力ヘッドルーム報告処理を停止する、または取り消す。
【００２７】
処理４０に基づき、ＵＥまたはｅＮＢは、複数の周波数ブロックシステム（例えば、ＬＴＥアドバンストシステム）においてＨＡＲＱエンティティをリセットする方法を知っている。ＵＥまたはｅＮＢは、動作可能にされた、動作不可能にされた、追加された、削除された、または再設定された周波数ブロックにおいてのみ、ＨＡＲＱエンティティをリセットする。
【００２８】
図５は、典型的な処理５０のフローチャートである。複数の周波数ブロックを通してネットワークと通信可能なＵＥ（図１のモバイル装置１０）において、ＨＡＲＱエンティティをリセットするために、処理５０は用いられる。処理５０は、プログラムコード２１４にコンパイルすることが可能であり、以下のステップを含む：
ステップ５００：開始。
【００２９】
ステップ５１０：複数の周波数ブロックにおける、ある周波数ブロックに関連付けられた周波数ブロック設定が変更されたとき、その周波数ブロックに関連付けられたＨＡＲＱエンティティのコンテキストを維持する。
【００３０】
ステップ５２０：終了。
【００３１】
処理５０によれば、ＲＲＣ処理を伴うＲＲＣ層３００によって周波数ブロックが再設定される、追加される、または削除されるとき、または、ＭＡＣ制御エレメントを伴うＭＡＣ層３３０によって動作可能とされる、または動作不可能とされるとき、ＵＥは周波数ブロックと関連付けられたＨＡＲＱエンティティのコンテキストを維持する。言い換えれば、ＵＥは周波数ブロックにおけるＨＡＲＱエンティティのコンテキストを変化させない。これは、ＨＡＲＱエンティティのコンテキストが、ＵＥとネットワーク（すなわちｅＮＢ）との間で異なるように設定されることを避けるためである。ＨＡＲＱエンティティのコンテキストは、記憶されたＮＤＩ値と、ＨＡＲＱバッファまたはＨＡＲＱエンティティにおける各ＨＡＲＱプロセスのためのソフトバッファにおけるデータとを含む。
【００３２】
処理５０に基づく例を示す。図１を再度参照すると、ＵＥは周波数ブロックｃｃ＃１−ｃｃ＃ｍで設定される。いかなる周波数ブロックｃｃ＃１−ｃｃ＃ｍ（例えば、周波数ブロックｃｃ＃２）も、再設定され、追加され、削除され、動作可能にされ、または動作不可能にされたとき、ＵＥまたはｅＮＢは、周波数ブロックｃｃ＃２のＨＡＲＱエンティティのコンテキストを維持する。より具体的には、ＵＥまたはｅＮＢは、ＨＡＲＱエンティティに対応するすべてのＨＡＲＱプロセスに対するＮＤＩを維持する、および／または、ＨＡＲＱエンティティに対応するすべてのＨＡＲＱプロセスに対するバッファを維持する。
【００３３】
また、ＵＥまたはｅＮＢは、周波数ブロックｃｃ＃２に関連するＭＡＣタイマを維持する。このＭＡＣタイマは、ＨＡＲＱ  ＲＴＴタイマ、時間アライメントタイマ、またはsCellDeactivationTimerタイマであってよい。さらに、ＵＥまたはｅＮＢは、周波数ブロックｃｃ＃２に関連付けられたＭＡＣカウンター（例えば、各ＨＡＲＱプロセスのためのCURRENT_TX_NB）を、初期値（例えば０）に維持する。一方、周波数ブロックｃｃ＃２のＨＡＲＱエンティティがリセットされたとき、ＵＥは、継続中のランダムアクセス処理、始動させられたスケジューリング要求処理、始動させられたバッファ状態報告処理、始動させられた電力ヘッドルーム報告処理、あるいは一時的なＣ−ＲＮＴＩを維持する。より具体的には、時間アライメントタイマ、継続中のランダムアクセス処理、始動させられたスケジューリング要求処理、始動させられたバッファ状態報告処理、始動させられた電力ヘッドルーム報告処理、あるいは一時的なＣ−ＲＮＴＩが、周波数ブロックｃｃ＃２のみに関連付けられているかどうかに基づいて、ＵＥは動作中の時間アライメントタイマ、継続中のランダムアクセス処理、始動させられたスケジューリング要求処理、始動させられたバッファ状態報告処理、始動させられた電力ヘッドルーム報告処理、あるいは一時的なＣ−ＲＮＴＩを維持する。詳細な説明は上述の通りであるため、ここでは省略する。
【００３４】
処理５０に基づけば、複数の周波数ブロックシステムにおいてＨＡＲＱエンティティをリセットする方法が、明確に定義される。ＵＥまたはｅＮＢは、動作可能にされ、動作不可能にされ、追加され、削除され、または再設定された周波数ブロックにおいて、ＨＡＲＱエンティティのコンテキストを維持する。
【００３５】
結果として、本発明はＨＡＲＱエンティティリセットを操作するための方法および装置を提供する。これにより、複数の周波数ブロックシステムにおける周波数ブロックのＨＡＲＱエンティティを効率的かつ適切にリセットできる。
【００３６】
当業者には、本発明の開示を元に、本装置および方法の多くの変形例および変更例が可能であることが、容易に分かるであろう。よって、上記開示は、添付の特許請求の範囲によってのみ限定されるものと解釈しなければならない。
【図１】
0005414741.tif 000002
【図２】
0005414741.tif 000003
【図３】
0005414741.tif 000004
【図４】
0005414741.tif 000005
【図５】
0005414741.tif 000006